【手続補正書】
【提出日】平成17年7月15日(2005.7.15)
【手続補正１】
【補正対象書類名】明細書
【補正対象項目名】特許請求の範囲
【補正方法】変更
【補正の内容】
【特許請求の範囲】
【請求項１】
複数のパッド、
各々が複数のメモリセルを有する複数のメモリアレイ、
前記複数のパッド各々に対応して設けられかつ各々が前記複数のメモリアレイに共通に設けられる複数のデータバス、および
前記複数のメモリアレイ各々において、前記複数のデータバスに対応して配置され、かつ対応のメモリアレイから読出されたデータを対応のデータバスに伝達するための複数のリードデータドライバを備え、前記複数のリードデータドライバは、各前記メモリアレイにおいて、同じデータバスをドライブするリードデータドライバと、互いに異なるデータバスをドライブするリードデータドライバとを含む、半導体記憶装置。
【請求項２】
前記複数のパッドのうち使用されるパッドの数を示す語構成情報に従って、前記複数のリードデータドライバのうち使用されるリードデータドライバを動作可能状態に設定する制御手段をさらに備え、前記複数のデータバスには、前記動作可能状態のリードデータドライバからのデータが伝達される、請求項１記載の半導体記憶装置。
【請求項３】
前記複数のパッド近傍に、前記複数のデータバス各々に対応して配置され、対応のデータバスを介して与えられるデータを対応のパッドに伝達するための出力回路をさらに含む、請求項１記載の半導体記憶装置。
【請求項４】
前記複数のデータバスは、前記複数のメモリアレイの選択メモリセルから読出された読出データおよび該選択メモリセルへ書込む書込データをともに伝送し、
前記複数のメモリアレイ各々において、前記複数のリードデータドライバ各々に対応して配置され、対応のデータバスのデータを対応のメモリアレイへ伝達するための複数のライトデータドライバをさらに含む、請求項１記載の半導体記憶装置。
【請求項５】
前記複数のパッドのうちの使用されるパッドの数を指定する語構成情報に従って、前記複数のライトデータドライバを選択的に動作可能状態に設定する手段をさらに備える、請求項４記載の半導体記憶装置。
【請求項６】
前記複数のパッド近傍に前記複数のデータバスそれぞれに対応して配置され、対応のパッドからのデータを対応のデータバスへ伝達するための複数の入力回路をさらに含む、請求項４記載の半導体記憶装置。
【請求項７】
前記複数のメモリアレイは、各々が互いに独立に選択状態へ駆動される複数のバンクを構成する、請求項１記載の半導体記憶装置。
【請求項８】
データバス、
複数のメモリセルを有するメモリアレイ、
前記メモリアレイの選択メモリセルからのデータを増幅するためのプリアンプ、
前記プリアンプの出力データに従って前記データバスをドライブするためのリードデータドライバ、および
クロック信号に同期してマスク指示信号を取込み、該マスク指示信号のデータ出力マスク指示に応答して前記リードデータドライバを非活性化するマスク制御手段を備える、半導体記憶装置。
【請求項９】
前記プリアンプの出力データを前記クロック信号の０以上の所定数のサイクル期間遅延して前記リードデータドライバへ与えるシフト回路をさらに備える、請求項８記載の半導体記憶装置。
【請求項１０】
前記データバスに対応して設けられるパッド、
前記データバスのデータに従って読出データを生成して前記パッドへ伝達する出力回路をさらに備える、請求項８記載の半導体記憶装置。
【請求項１１】
前記データバスに結合され、データ書込時、前記データバスのデータに従って書込データを生成して前記メモリアレイの選択メモリセルへ伝達するライトデータドライバをさらに備え、
前記マスク制御手段は、データ書込時前記マスク指示に応答して前記ライトデータドライバを非活性化する手段を備える、請求項８記載の半導体記憶装置。
【請求項１２】
前記マスク制御手段は、前記クロック信号の前記マスク指示が与えられたサイクルにおいて前記リードデータドライバまたは前記ライトデータドライバを非活性化する手段を含む、請求項１１記載の半導体記憶装置。
【請求項１３】
複数のメモリセルを有しかつ複数のブロックに分割されるメモリセルアレイ、
前記複数のブロック各々に対応して配置され、各々が３値データ出力可能であり、活性化時対応のブロックから読出されたデータを増幅するための複数のプリアンプ、
前記複数のブロックに共通に設けられるデータバス、
前記複数のプリアンプ各々に対応して設けられ、各々が対応のプリアンプの出力データに従って前記データバスを駆動する複数のリードデータドライバ、および
前記メモリアレイのブロックを指定するブロック指定信号とデータ読出時前記クロック信号に同期して活性化されるプリアンプ活性化信号とに応答して前記複数のプリアンプを選択的に活性化するプリアンプ活性化手段を備え、
前記リードデータドライバは、対応のプリアンプが非活性状態のときに出力されるデータに従って出力ハイインピーダンス状態となる、半導体記憶装置。
【請求項１４】
前記複数のプリアンプ各々に対応して設けられ、対応のプリアンプからの３値出力データを前記クロック信号の０以上の所定数のサイクル期間シフトして対応のリードデータドライバへ与える複数のシフト回路をさらに備える、請求項１３記載の半導体記憶装置。
【請求項１５】
前記複数のプリアンプの各々は、
活性化時メモリセルデータを増幅して１対の出力ノードへ該増幅データを出力する増幅回路と、
非活性化時前記１対の出力ノードを第１の電位にプリチャージするプリチャージ回路と、
前記１対の出力ノードに結合され、前記１対の出力ノードのうち前記第１の電位に近いノードを前記第１の電位レベルへ駆動する交差結合されたトランジスタ対とを備える、請求項１３記載の半導体記憶装置。
【請求項１６】
前記複数のシフト回路の各々は、
プリアンプ活性化信号に応答して対応のプリアンプの出力データを取込みラッチする第１のラッチ段と、
前記リードデータドライバの非活性化に応答して前記第１のラッチ段の出力データを取込みラッチする第２のラッチ段とを含む、請求項１４記載の半導体記憶装置。
【手続補正２】
【補正対象書類名】明細書
【補正対象項目名】００３６
【補正方法】削除
【補正の内容】
【手続補正３】
【補正対象書類名】明細書
【補正対象項目名】００３７
【補正方法】削除
【補正の内容】
【手続補正４】
【補正対象書類名】明細書
【補正対象項目名】００３８
【補正方法】削除
【補正の内容】
【手続補正５】
【補正対象書類名】明細書
【補正対象項目名】００３９
【補正方法】削除
【補正の内容】
【手続補正６】
【補正対象書類名】明細書
【補正対象項目名】００４０
【補正方法】削除
【補正の内容】
【手続補正７】
【補正対象書類名】明細書
【補正対象項目名】００４１
【補正方法】削除
【補正の内容】
【手続補正８】
【補正対象書類名】明細書
【補正対象項目名】００４２
【補正方法】削除
【補正の内容】
【手続補正９】
【補正対象書類名】明細書
【補正対象項目名】００４３
【補正方法】削除
【補正の内容】
【手続補正１０】
【補正対象書類名】明細書
【補正対象項目名】００４４
【補正方法】削除
【補正の内容】
【手続補正１１】
【補正対象書類名】明細書
【補正対象項目名】００４５
【補正方法】削除
【補正の内容】
【手続補正１２】
【補正対象書類名】明細書
【補正対象項目名】００４６
【補正方法】削除
【補正の内容】
【手続補正１３】
【補正対象書類名】明細書
【補正対象項目名】００４７
【補正方法】削除
【補正の内容】
【手続補正１４】
【補正対象書類名】明細書
【補正対象項目名】００４８
【補正方法】削除
【補正の内容】
【手続補正１５】
【補正対象書類名】明細書
【補正対象項目名】００４９
【補正方法】削除
【補正の内容】
【手続補正１６】
【補正対象書類名】明細書
【補正対象項目名】００５０
【補正方法】削除
【補正の内容】
【手続補正１７】
【補正対象書類名】明細書
【補正対象項目名】００５１
【補正方法】削除
【補正の内容】
【手続補正１８】
【補正対象書類名】明細書
【補正対象項目名】００５２
【補正方法】削除
【補正の内容】
【手続補正１９】
【補正対象書類名】明細書
【補正対象項目名】００５３
【補正方法】削除
【補正の内容】
【手続補正２０】
【補正対象書類名】明細書
【補正対象項目名】００５４
【補正方法】削除
【補正の内容】
【手続補正２１】
【補正対象書類名】明細書
【補正対象項目名】００５５
【補正方法】削除
【補正の内容】
【手続補正２２】
【補正対象書類名】明細書
【補正対象項目名】００５６
【補正方法】削除
【補正の内容】
【手続補正２３】
【補正対象書類名】明細書
【補正対象項目名】００５７
【補正方法】削除
【補正の内容】
【手続補正２４】
【補正対象書類名】明細書
【補正対象項目名】００５８
【補正方法】削除
【補正の内容】
【手続補正２５】
【補正対象書類名】明細書
【補正対象項目名】００５９
【補正方法】削除
【補正の内容】
【手続補正２６】
【補正対象書類名】明細書
【補正対象項目名】００６０
【補正方法】削除
【補正の内容】
【手続補正２７】
【補正対象書類名】明細書
【補正対象項目名】００６１
【補正方法】削除
【補正の内容】
【手続補正２８】
【補正対象書類名】明細書
【補正対象項目名】０３５１
【補正方法】削除
【補正の内容】
【手続補正２９】
【補正対象書類名】明細書
【補正対象項目名】０３５２
【補正方法】削除
【補正の内容】
【手続補正３０】
【補正対象書類名】明細書
【補正対象項目名】０３５３
【補正方法】削除
【補正の内容】
【手続補正３１】
【補正対象書類名】明細書
【補正対象項目名】０３５４
【補正方法】削除
【補正の内容】
【手続補正３２】
【補正対象書類名】明細書
【補正対象項目名】０３５５
【補正方法】削除
【補正の内容】
【手続補正３３】
【補正対象書類名】明細書
【補正対象項目名】０３５６
【補正方法】削除
【補正の内容】
【手続補正３４】
【補正対象書類名】明細書
【補正対象項目名】０３５７
【補正方法】削除
【補正の内容】
【手続補正３５】
【補正対象書類名】明細書
【補正対象項目名】０３５８
【補正方法】削除
【補正の内容】
【手続補正３６】
【補正対象書類名】明細書
【補正対象項目名】０３５９
【補正方法】削除
【補正の内容】
【手続補正３７】
【補正対象書類名】明細書
【補正対象項目名】０３６０
【補正方法】削除
【補正の内容】
【手続補正３８】
【補正対象書類名】明細書
【補正対象項目名】０３６１
【補正方法】削除
【補正の内容】
【手続補正３９】
【補正対象書類名】明細書
【補正対象項目名】０３６２
【補正方法】削除
【補正の内容】
【手続補正４０】
【補正対象書類名】明細書
【補正対象項目名】０３６３
【補正方法】削除
【補正の内容】
【手続補正４１】
【補正対象書類名】明細書
【補正対象項目名】０３６４
【補正方法】削除
【補正の内容】
【手続補正４２】
【補正対象書類名】明細書
【補正対象項目名】０３６５
【補正方法】削除
【補正の内容】
【手続補正４３】
【補正対象書類名】明細書
【補正対象項目名】０３６６
【補正方法】削除
【補正の内容】
【手続補正４４】
【補正対象書類名】明細書
【補正対象項目名】０３６７
【補正方法】削除
【補正の内容】
【手続補正４５】
【補正対象書類名】明細書
【補正対象項目名】０３６８
【補正方法】削除
【補正の内容】
【手続補正４６】
【補正対象書類名】明細書
【補正対象項目名】０３６９
【補正方法】削除
【補正の内容】
【手続補正４７】
【補正対象書類名】明細書
【補正対象項目名】０３７０
【補正方法】削除
【補正の内容】
【手続補正４８】
【補正対象書類名】明細書
【補正対象項目名】０３７１
【補正方法】削除
【補正の内容】
【手続補正４９】
【補正対象書類名】明細書
【補正対象項目名】０３７２
【補正方法】削除
【補正の内容】